(57)【特許請求の範囲】
【請求項１】
一端に対物レンズ（２）が配され他端に接眼レンズ（３）が配された所要長さのイメージガイド（４）に沿って、当該イメージガイド（４）の視野内を照明するライトガイド（５）が添設されて成る水中用ファイバスコープにおいて、
前記イメージガイド（４）及び前記ライトガイド（５）を樹脂製の保護チューブ（６）内に挿通した光ファイバケーブル（Ｃ）の対物側端部には、前記イメージガイド（４）及び前記ライトガイド（５）を水密状態に保持する対物ハウジング（７）が配設され、当該対物ハウジング（７）には、前記対物レンズ（２）が取り付けられると共に、前記ライトガイド（５）の光出射部（１０）が形成され、光ファイバケーブル（Ｃ）の接眼側端部には前記接眼レンズ（３）を取り付けたアイピース（９）が配設されてなり、
前記対物ハウジング（７）には、保護チューブ（６）に形成されたエア供給チャンネル（１１）を介して送給された圧縮空気を光ファイバケーブル（Ｃ）に対して直交する方向に吹き出し、その推進力により対物ハウジング（７）を水中で移動させるエア噴射ノズル（１２）が光ファイバケーブル（Ｃ）の周方向に回動可能に配設され、
前記エア噴射ノズル（１２）を回動させる操作ワイヤ（１４）が、前記保護チューブ（６）に形成された操作ワイヤチャンネル（１５）に挿通されて、アイピース（９）又はその近傍に設けられた操作子（１６）に巻き掛けられていることを特徴とする水中用ファイバスコープ。
【請求項２】
一端に対物レンズ（２）が配され他端に接眼レンズ（３）が配された所要長さのイメージガイド（４）に沿って、当該イメージガイド（４）の視野内を照明するライトガイド（５）が添設されて成る水中用ファイバスコープにおいて、
前記イメージガイド（４）及び前記ライトガイド（５）を樹脂製の保護チューブ（６）内に挿通した光ファイバケーブル（Ｃ）の対物側端部には、前記イメージガイド（４）及び前記ライトガイド（５）を水密状態に保持する対物ハウジング（７）が配設され、当該対物ハウジング（７）には、前記対物レンズ（２）が取り付けられると共に、前記ライトガイド（５）の光出射部（１０）が形成され、光ファイバケーブル（Ｃ）の接眼側端部には前記接眼レンズ（３）を取り付けたアイピース（９）が配設されてなり、
前記対物ハウジング（７）には、イメージガイド（４）の視野内の観察物を採取する開閉採取具（１３）が取り付けられ、当該開閉採取具（１３）を開閉させる操作ワイヤ（２１）が、前記保護チューブ（６）に形成された操作ワイヤチャンネル（２２）に挿通され、当該操作ワイヤ（２１）を操作ワイヤチャンネル（２２）の長手方向に摺動させる操作子（２３）がアイピース（９）又はその近傍に設けられたことを特徴とする水中用ファイバスコープ。
【請求項３】
一端に対物レンズ（２）が配され他端に接眼レンズ（３）が配された所要長さのイメージガイド（４）に沿って、当該イメージガイド（４）の視野内を照明するライトガイド（５）が添設されて成る水中用ファイバスコープにおいて、
前記イメージガイド（４）及び前記ライトガイド（５）が対物側と接眼側に分断され、対物側のイメージガイド（４Ａ）及びライトガイド（５Ａ）を樹脂製の保護チューブ（６Ａ）内に挿通した光ファイバケーブル（Ｃ１) が巻出・巻取自在にリール（３０）に巻回されると共に、その対物側端部には、前記イメージガイド（４Ａ）及び前記ライトガイド（５Ａ）を水密に保持する対物ハウジング（７）が配設され、当該対物ハウジング（７）には、前記対物レンズ（２）が取り付けられると共に、前記ライトガイド（５）の光出射部（１０）が形成され、接眼側のイメージガイド（４Ｂ）及びライトガイド（５Ｂ）を樹脂製の保護チューブ（６Ｂ）内に挿通した光ファイバケーブル（Ｃ２）の接眼側端部には前記接眼レンズ（３）を取り付けたアイピース（９）が配設され、
前記イメージガイド（４）の分断端部（３２Ａ、３２Ｂ）同士が前記リール（３０）の回転軸と同軸に位置して非接触状態で対向配設されると共に、前記ライトガイド（５）の分断端部（３３Ａ、３３Ｂ）同士が前記リール（３０）の回転軸を中心とする円周状に配列されて非接触状態で対向配設されたことを特徴とする水中用ファイバスコープ。
【請求項４】
前記保護チューブ（６、６Ａ、６Ｂ）内に、前記光ファイバケーブル（Ｃ、Ｃ１、Ｃ２）を水中で伸長状態に保持する抗張力体が配設されてなる請求項１乃至３記載の水中用ファイバスコープ。
【発明の詳細な説明】
【０００１】
【発明の属する技術分野】
本発明は、先端に対物レンズが配されると共に他端に接眼レンズが配された所要長さのイメージガイドに沿って、当該イメージガイドの視野内を照明するライトガイドが添設されて成る水中用ファイバスコープに関する。
【０００２】
【従来の技術】
ファイバスコープは、例えば、細径の光ファイバを数千〜数万本束ねたイメージガイドで形成され、その先端側に対物レンズで結像された像を光ファイバの本数分に分解して他端側に伝達し、これを再び接眼レンズで拡大して見るようになされている。
この場合に、観察対象が暗くても見えるように、前記イメージガイドに沿ってその視野を可視光又は赤外光で照明するライトガイドが添設され、また、イメージガイドやライトガイドを構成する各光ファイバが傷ついたり折れたりしないように、前記イメージガイド及び前記ライトガイドが樹脂製の保護チューブ内に挿通されて光ファイバケーブルが形成され、その対物側端部には、前記対物レンズが配設されると共に、ライトガイドの光出射部が形成され、光ファイバケーブルの接眼側端部には前記接眼レンズと、ライトガイドに入射する照明光源を内蔵したアイピースが配設されている。
【０００３】
【発明が解決しようとする課題】
ところで、このようなファイバスコープを用いて海中生物を観察したり、養殖場において水中生物の生育状況を観察したり、さらに、海底，海中の様子を観察しようとすると、保護チューブと対物レンズの隙間や、ライトガイドの光出射部などから保護チューブ内に浸水してしまうため、鮮明な光学像が得られないだけでなく、イメージガイドやライトガイドの先端が汚れた場合にはこれを簡単に洗浄することができないという問題があった。
【０００４】
また、ファイバスコープの対物側端部を水中に投入して、水中生物を観察する際に、対物レンズを観察対象物に近づけようとしても、水中内で自由に移動させることができない。
さらに、接眼レンズから対物レンズに至るまでのイメージガイドの長さは一定であり、観察対象物までの深さはその都度異なるので、深い所まで観察できるようにイメージガイドを長くすると浅いところを観察するときに余った部分が邪魔になり、浅いところを観察するように短く設定するとそれより深いところを観察することができないという不便があった。
【０００５】
そこで本発明は、保護チューブ内への浸水と、イメージガイドやライトガイドの汚損を防止することができ、また、対物レンズを水中内で自由に移動できるようにし、さらに、観察対象物までの深さに応じて光ファイバケーブルの長さを調整できるようにすることを技術的課題としている。
【０００６】
【課題を解決するための手段】
この課題を解決するために、本発明は、一端に対物レンズが配され他端に接眼レンズが配された所要長さのイメージガイドに沿って、当該イメージガイドの視野内を照明するライトガイドが添設されて成る水中用ファイバスコープにおいて、前記イメージガイド及び前記ライトガイドを樹脂製の保護チューブ内に挿通した光ファイバケーブルの対物側端部には、前記イメージガイド及び前記ライトガイドを水密状態に保持する対物ハウジングが配設され、当該対物ハウジングには、前記対物レンズが取り付けられると共に、前記ライトガイドの光出射部が形成され、光ファイバケーブルの接眼側端部には前記接眼レンズを取り付けたアイピースが配設されてなり、前記対物ハウジングには、保護チューブに形成されたエア供給チャンネルを介して送給された圧縮空気を光ファイバケーブルに対して直交する方向に吹き出し、その推進力により対物ハウジングを水中で移動させるエア噴射ノズルが光ファイバケーブルの周方向に回動可能に配設され、前記エア噴射ノズルを回動させる操作ワイヤが、前記保護チューブに形成された操作ワイヤチャンネルに挿通されて、アイピース又はその近傍に設けられた操作子に巻き掛けられていることを特徴とする。
【０００７】
この発明によれば、前記イメージガイド及び前記ライトガイドを樹脂製の保護チューブ内に挿通した光ファイバケーブルの対物側端部に対物ハウジングが配設され、当該対物ハウジングによりイメージガイド及びライトガイドの先端側を水密に保持しているので、保護チューブ内に浸水することはない。
【０００８】
また、光ファイバケーブルの対物側端部に配設された対物ハウジングには、圧縮空気を光ファイバケーブルに対して直交する方向に吹き出し、その推進力により対物ハウジングを水中で移動させるエア噴射ノズルが光ファイバケーブルの周方向に回動可能に配設され、その向きをアイピース又はその近傍に設けられた操作子で自在に調整できるように成されているので、対物ハウジングを水中に沈めた状態で、水中を観察しながら対物ハウジングの位置を移動させることができる。
【０００９】
さらに、他の実施形態によれば、対物ハウジングに、イメージガイドの視野内の観察物を採取する開閉採取具が取り付けられ、その開閉操作を行う操作子がアイピース又はその近傍に設けられているので、対物ハウジングを水中に沈めた状態で、水中を観察しながら操作子を操作することにより、任意のサンプルを遠隔操作で簡単に採取することができる。
【００１０】
さらに他の実施形態によれば、イメージガイド及びライトガイドが対物側と接眼側に分断され、対物側のイメージガイド及びライトガイドを樹脂製の保護チューブ内に挿通した光ファイバケーブルが巻出・巻取自在にリールに巻回され、前記イメージガイドの分断端部同士が前記リールの回転軸と同軸に位置して非接触状態で対向配設されると共に、前記ライトガイドの分断端部同士が前記リールの回転軸を中心とする円周状に配列されて非接触状態で対向配設されている。
【００１１】
この実施形態によれば、光ファイバケーブルがリールに巻回されているので、観察対象物の深さまで任意の長さだけ巻き出すことにより、浅いところを観察するときでも余った光ファイバケーブルが邪魔になることがなく、また、深いところを観察するときはその分だけ光ファイバケーブルを巻き出せばよい。
【００１２】
また、イメージガイドは、その分断端部同士がリールの回転軸と同軸に位置して非接触状態で対向配設されており、ライトガイドは、その分断端部同士が前記リールの回転軸を中心とする円周状に配列されて非接触状態で対向配設されているので、リールを回転しても対物側から伝わる画像は確実に接眼レンズに伝わり、ライトガイドの接眼側から入射された照明光も対物側の光出射部から出射される。
【００１３】
【発明の実施の形態】
以下、本発明の実施形態を図面に基づいて具体的に説明する。
図１は本発明に係る水中用ファイバスコープの対物側端部を示す断面図、図２はその斜視図、図３はその接眼側端部を示す断面図、図４はエア噴射ノズルの動作を示す説明図、図５（ａ）及び（ｂ）は夫々開閉採取具の動作を示す説明図である。
【００１４】
図中１は、一端に対物レンズ２が配されると共に他端に接眼レンズ３が配された所要長さのイメージガイド４に沿って、当該イメージガイド４の視野内を照明するライトガイド５が添設されて成る水中用ファイバスコープであって、前記イメージガイド４及び前記ライトガイド５を樹脂製の保護チューブ６内に挿通した光ファイバケーブルＣの対物側端部に、イメージガイド４及びライトガイド５の先端側を水密に保持する対物ハウジング７が配設され、光ファイバケーブルＣの接眼側端部には、イメージガイド４の接眼側端部に対向するように接眼レンズ３を配すると共に、ライトガイド５の光入射端５inに光を入射する光源装置８を一体に取り付けたアイピース９が配設されている。
【００１５】
対物ハウジング７には、イメージガイド４の端部には対物レンズ２が配設されると共に、当該対物レンズ２の周囲には、ライトガイド５の光出射端５out から出射された光をイメージガイド４の視野に照射する光出射部１０が形成されている。
なお、対物レンズ２及び光出射部１０は、対物ハウジング７に対して水密に取り付けられると共に、対物ハウジング７が保護チューブ６に対して水密に取り付けられて、対物ハウジング７内に浸水しないように形成されている。
【００１６】
また、対物ハウジング７には、保護チューブ６に形成されたエア供給チャンネル１１を介して送給された圧縮空気を光ファイバケーブルＣに対して直交する方向に吹き出させて、その推進力により対物ハウジング７を水中で移動させるエア噴射ノズル１２が光ファイバケーブルＣの周方向に回動可能に配設されると共に、イメージガイド４の視野内の観察物を採取する開閉採取具１３が取り付けられている。
【００１７】
そして、前記エア噴射ノズル１２を回動させる操作ワイヤ１４は、前記保護チューブ６に形成された操作ワイヤチャンネル１５に挿通されて、その一端側がエア噴射ノズル１２に巻き掛けられ、他端側がアイピース９又はその近傍に設けられた操作子１６に巻き掛けられている。なお、エア噴射ノズル１２には、エアを噴射したときに対物ハウジング７が移動する方向を示す指標（図示せず）がイメージガイド４の視野内に位置するように形成され、アイピース９を覗いたときにその視野内に前記指標が表示されるように成されている。
また、前記エア供給チャンネル１１の他端側はアイピース９に形成された接続ポート１７を介してコンプレッサ１８から圧縮エアを供給するエアホース１９に接続されている。
【００１８】
また、前記開閉採取具１３は、例えば蝶番２０を開く方向に付勢するスプリング（図示せず）により通常は、図５（ａ）に示すように、開いた状態に保持され、操作ワイヤ２１を引っ張ったときに、図５（ｂ）に示すように、閉じるようになされている。この操作ワイヤ２１は、前記保護チューブ６に形成された操作ワイヤチャンネル２２に挿通されて、一端が開閉採取具１３の蝶番２０に取り付けられ、他端がアイピース９又はその近傍に設けられた操作子２３に巻き付けられている。
なお、光ファイバケーブルＣは対物ハウジング７を水中に投下したときに、水中で直線状に伸長されるように保護チューブ６内にピアノ線又はコイルスプリングなどからなる抗張力体（図示せず）が配設されて、エア供給チャンネル１１にエアが充填されたときの浮力により浮き上がらない程度の重さになっている。
【００１９】
以上が本発明に係る水中用ファイバスコープの一例であって、次にその作用について説明する。
まず、対物ハウジング７を水中に投下して、光源装置８を点灯すると、その光はライトガイド５の光入射端５inに入射され、対物ハウジング７に形成された光出射部１０から照射されるので、暗い海中などにおいてもイメージガイド４の視野が明るく照らされる。
このとき、対物ハウジング７は水密に形成されているので、対物ハウジング７内に浸水してイメージガイド４及びライトガイド５の先端に水滴や水中のゴミが付着することがなく、イメージガイド４及びライトガイド５と、対物レンズ２及び光出射部８との間の光の損失を最小に抑えて水中を観察することができる。
【００２０】
そして、対物ハウジング７を水中で移動させようとするときは、アイピース９を覗きながらエア噴射ノズル１２を回動させる操作子１６を操作して、移動させたい方向と視野内に表示される指標の方向を一致させる。
ここで、エア供給チャンネル１１を介して圧縮エアを供給すると、エア噴射ノズル１２からエアが吹き出されるので、その推進力により対物ハウジング７がエア吹出方向と反対の方向（指標で指し示された方向）に移動する。
このように、操作子１６を操作することによりエア噴射ノズル１２を任意の方向に向けることができるので、対物ハウジング７を任意の方向に移動させることができる。
【００２１】
また、対物ハウジング７を降ろして海底を観察している場合に、イメージガイド４の視野内にある貝や石などを採取しようとする場合は、開閉採取具１３の操作子２３を操作して操作ワイヤ２１を引っ張ると、開閉採取具１３が閉じるので、イメージガイド４の視野内にある貝や石などを容易に採取することができる。
【００２２】
図６は本発明に係る他の水中用ファイバスコープの斜視図、図７はその要部を示す断面図である。なお、図１〜図３と共通する部分については同一符号を付して詳細説明は省略する。
本例では、イメージガイド４及びライトガイド５が対物側と接眼側に分断され、対物側のイメージガイド４Ａ及びライトガイド５Ａを樹脂製の保護チューブ６Ａ内に挿通した光ファイバケーブルＣ1 が釣竿２９に装着されるリール３０に巻出・巻取自在に巻回されると共に、その対物側端部に、前記イメージガイド４Ａ及びライトガイド５Ａを水密に保持する対物ハウジング７が配設されている。
【００２３】
また、接眼側のイメージガイド４Ｂ及びライトガイド５Ｂを樹脂製の保護チューブ６Ｂ内に挿通した光ファイバケーブルＣ2 の接眼側端部には、イメージガイド４Ｂから出力される像を拡大する接眼レンズ３が配されると共に、ライトガイド５Ｂの光入射端５inに光を入射する光源装置８を一体に取り付けたアイピース９が、釣竿２９のグリップ２９ａに立設された弾性支柱２８に取り付けられている。
【００２４】
３１は、前記イメージガイド４Ａ，４Ｂ同士と、ライトガイド５Ａ，５Ｂ同士を光学的に接続する光学カプラであって、イメージガイド４Ａ，４Ｂの分断端部３２Ａ，３２Ｂ同士を前記リール３０の回転軸と同軸に位置して非接触状態で対向配設することにより、イメージガイド４Ａ，４Ｂ間でイメージの伝達を行うと共に、前記ライトガイド５Ａ，５Ｂの分断端部３３Ａ，３３Ｂ同士を前記リール３０の回転軸を中心とする円周状に配列して非接触状態で対向配設することにより、光源装置８から照射されて接眼側のライトガイド５Ｂの光入射端５inに入射した光を対物側のライトガイド５Ａに伝達させるようになされている。
なお、３４はハリス３５を介して対物側のイメージガイド４Ａの視野内に位置するように取り付けられた釣針であって、そのハリス３５は光ファイバケーブルＣ1 の巻回始端まで前記保護チューブ６Ａ内に沿って配設されている。
【００２５】
これによれば、リール３０を回転させて光ファイバケーブルＣ1 を必要な長さだけ巻き出すことができる。また、イメージガイド４Ａ及び４Ｂの分断端部３２Ａ，３２Ｂ同士が前記リール３０の回転軸と同軸に位置して非接触状態で対向配設されているので、リール３０を回転させて光ファイバケーブルＣ1 を巻取・巻出を行っても、対物側のイメージガイド４Ａの対物レンズ２から入射された像は、接眼側のイメージガイド４Ｂに入射されて、接眼レンズ３で拡大されるので、水中を支障なく水中を観察することができる。
【００２６】
また、光源装置８から照射された光は、接眼側のライトガイド５Ｂの光入射端５inに入射された後、ライトガイド５Ｂの分断端部３３Ｂから出射して、そのほとんどがライトガイド５Ａの分断端部３３Ａに入射され、対物ハウジング７に形成された光出射部１０からイメージガイト４Ａの視野に照射される。
したがって、暗い海底などを観察する場合でも、視野内を明るく照らして観察できる。
さらに、釣針３４に餌や疑似餌をつけて海中に落として釣を行えば、光出射部５out が集魚燈の役目をし、また、イメージガイド４Ａにより針先に魚がいるか否かを視認することができるので、根魚などを釣る場合には極めて有効である。
【００２７】
また、図８に示すように、イメージガイド４及びライトガイド５を樹脂製の保護チューブ６内に挿通した光ファイバケーブルＣの対物側端部に形成された対物ハウジング７に、延長用ファイバケーブルＣｅを接続可能に形成してもよい。
なお、図８において図１〜図３と共通する部分については同一符号を付して詳細説明は省略する。
【００２８】
前記延長用ファイバケーブルＣｅは、延長用イメージガイド４ｅ及び延長用ライトガイド５ｅを樹脂製の保護チューブ６ｅ内に挿通して形成されると共に、その対物側端部には対物ハウジング７ｅが配設され、接眼側端部には光ファイバケーブルＣの対物ハウジング７と係合される光コネクタ４０が配設され、前記対物ハウジング７ｅと光コネクタ４０とで保護チューブ６ｅ内に挿通されている前記延長用イメージガイド４ｅ及び延長用ライトガイド５ｅを水密に保持している。
【００２９】
そして、例えば光ファイバケーブルＣの対物ハウジング７にはその周囲に雄ねじ（接合部）４１が形成され、延長用ファイバケーブルＣｅの光コネクタ４０には前記ハウジング７の雄ねじ４１と螺合される雌ねじ４２が形成され、前記対物ハウジング７及び光コネクタ４０が水密に接続できるように形成されている。
この光コネクタ４０には、光ファイバケーブルＣの対物ハウジング７に配設された対物レンズ２に対向する位置に、延長用イメージガイド４ｅを伝わる像を光ファイバケーブルＣのイメージガイド４内に導くレンズ４３が配設され、また、ライトガイド５の光出射部１０と対向する位置に延長用ライトガイド５ｅの光入射部４４が形成されている。
【００３０】
また、延長用ファイバケーブルＣｅの対物ハウジング７ｅには、延長用イメージガイド４ｅの対物レンズ２ｅが取り付けられると共に、延長用ライトガイド５ｅの光出射部１０ｅが形成されており、さらに、他の延長用ファイバケーブルＣｅの接眼側端部に形成された光コネクタ４０に接続できるように、その周囲に雄ねじ４５が形成されている。
【００３１】
これによれば、観察対象物までの水深に応じて光ファイバケーブルＣに延長用ファイバケーブルＣｅを継ぎ足すことにより所望の長さに設定することができ、この状態で対物ハウジング７ｅを投下すると、対物ハウジング７ｅは観察物の深さまで沈み、当該対物ハウジング７ｅの対物レンズ２ｅで結合された像が、延長用ファイバケーブルＣｅの延長用イメージガイド４ｅ及び光ファイバケーブルＣのイメージガイド４を伝わり、アイピース９の接眼レンズ３を通して拡大されるので、これを水上で観察することができる。
このとき、アイピース９の光源装置８から照射された光は、光ファイバケーブルＣのライトガイド５及び延長用ファイバケーブルＣｅのライトガイド５ｅを介して、その先端に配設された対物ハウジング７ｅの光出射部１０ｅからイメージガイド４ｅの視野内を照らすので、暗い海中や夜間でも水中を観察することができる。
【００３２】
【発明の効果】
以上述べたように、本発明によれば、光ファイバケーブルの先端に配設された対物ハウジングによりイメージガイド、ライトガイドが水密に保持されているので、保護チューブ内への浸水が防止されるだけでなく、イメージガイドやライトガイドの汚損を防止することができるという効果がある。
また、水上からエア噴射方向の遠隔調整が可能なエア噴射ノズルを対物ハウジングに設けたので、当該ノズルを所望方向に向けて圧縮エアを吹き出させることにより、そのエアの推進力で対物ハウジングが水中を移動するので、水中を観察しながら対物ハウジングを観察したい任意の場所へ移動させることができるという効果もある。
さらに、他の実施形態では、水上から遠隔操作可能な開閉採取具を対物ハウジングに配設すれば、水中を観察しながら視野内のサンプルを採取することができるという効果がある。
【００３３】
さらにまた、他の実施形態では、イメージガイド及びライトガイドを対物側と接眼側に分断し、対物側のイメージガイド及びライトガイドを保護チューブ内に挿通した光ファイバケーブルをリールに巻回したので、必要な長さだけ巻き出すことにより光ファイバケーブルの長さを調整することができるという大変優れた効果を有する。
【図面の簡単な説明】
【図１】本発明に係る水中用ファイバスコープの対物側端部を示す断面図。
【図２】その斜視図。
【図３】本発明に係る水中用ファイバスコープの接眼側端部を示す断面図。
【図４】エア噴射ノズルの動作を示す説明図。
【図５】（ａ）及び（ｂ）は開閉採取具の動作を示す説明図。
【図６】本発明に係る他の水中用ファイバスコープを示す全体図。
【図７】その要部を示す断面図。
【図８】本発明に係る他の水中用ファイバスコープを示す全体図。
【符号の説明】
１・・・・・・・水中用ファイバスコープ
２・・・・・・・対物レンズ
３・・・・・・・接眼レンズ
４・・・・・・・イメージガイド
５・・・・・・・ライトガイド
６・・・・・・・保護チューブ
Ｃ・・・・・・・光ファイバケーブル
７・・・・・・・対物ハウジング
９・・・・・・・アイピース
１０・・・・・・・光出射部
１１・・・・・・・エア供給チャンネル
１２・・・・・・・エア噴射ノズル
１３・・・・・・・開閉採取具
１４，２１・・・・操作ワイヤ
１５，２２・・・・操作ワイヤチャンネル
１６，２３・・・・操作子
２４・・・・・・・抗張力体
４Ａ，４Ｂ・・・イメージガイド
５Ａ，５Ｂ・・・ライトガイド
６Ａ，６Ｂ・・・保護チューブ
Ｃ1 ，Ｃ2 ・・・光ファイバケーブル
３２Ａ，３２Ｂ・・イメージガイドの分断端部
３３Ａ，３３Ｂ・・ライトガイドの分断端部
Ｃｅ・・・・・・延長用ファイバケーブル
４ｅ・・・・・・延長用イメージガイド
５ｅ・・・・・・延長用ライトガイド
６ｅ・・・・・・保護チューブ
７ｅ・・・・・・対物ハウジング
４０・・・・・・・光コネクタ
４１・・・・・・・雄ねじ（接合部）
【図１】
0003718007.tif 000002
【図２】
0003718007.tif 000003
【図３】
0003718007.tif 000004
【図４】
0003718007.tif 000005
【図５】
0003718007.tif 000006
【図６】
0003718007.tif 000007
【図７】
0003718007.tif 000008
【図８】
0003718007.tif 000009